【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成されたズームレンズであって、
前記第５レンズ群は、負の屈折力を有し固定された固定群と、正の屈折力を有し光軸に略直交する方向へ移動可能とされた可動群とが物体側より像側へ順に位置されて成り、
前記第５レンズ群の可動群が光軸に略直交する方向へ移動されることにより、像面上に形成される像が光軸に略直交する方向へ移動可能とされ、
以下の条件式（１）及び条件式（２）を満足するように構成された
ことを特徴とするズームレンズ。
（１）０．６＜｜ｆ５１／ｆ５２｜＜１．０
（２）０．２＜ｆｗ／ｆ５２＜０．５
但し、
ｆ５１：第５レンズ群の固定群の焦点距離
ｆ５２：第５レンズ群の可動群の焦点距離
ｆｗ：広角端におけるレンズ全系の焦点距離
とする。
【請求項２】
前記第５レンズ群の可動群が以下の条件式（３）を満足するように構成された
ことを特徴とする請求項１に記載のズームレンズ。
（３）２．０＜ｆｔ／ｆ５２＜５．０
但し、
ｆｔ：望遠端におけるレンズ全系の焦点距離
とする。
【請求項３】
前記第５レンズ群が以下の条件式（４）を満足するように構成された
ことを特徴とする請求項１に記載のズームレンズ。
（４）ｆｉ＜ｆ５
但し、
ｆｉ：第ｉレンズ群の焦点距離（ｉ＝１〜４）
ｆ５：第５レンズ群の焦点距離
とする。
【請求項４】
前記第５レンズ群の固定群を、正の屈折力を有する第１のレンズと、負の屈折力を有する第２のレンズと、負の屈折力を有する第３のレンズとが物体側から像側へ順に接合された接合レンズによって構成した
ことを特徴とする請求項１に記載のズームレンズ。
【請求項５】
前記第５レンズ群の可動群を、正の屈折力を有する第４のレンズと、負の屈折力を有する第５のレンズとが物体側から像側へ順に接合された接合レンズによって構成した
ことを特徴とする請求項１に記載のズームレンズ。
【請求項６】
前記第２レンズ群より像側かつ前記第５レンズ群より物体側の位置に開口絞りを配置し、
前記開口絞りより像側に配置されたレンズ群のうち少なくとも一つのレンズ群が３枚のレンズを接合して構成した３枚接合レンズを有し、
以下の条件式（５）及び条件式（６）を満足するように構成された
ことを特徴とする請求項１に記載のズームレンズ。
（５）ｆｍ＜０
（６）νｍ＜３０
但し、
ｆｍ：３枚接合レンズにおける中間レンズの焦点距離
νｍ：３枚接合レンズにおける中間レンズのアッベ数
とする。
【請求項７】
前記３枚接合レンズを前記第５レンズ群に構成した
ことを特徴とする請求項６に記載のズームレンズ。
【請求項８】
前記３枚接合レンズを物体側から像側へ順に配置された正の屈折力を有する第１のレンズと負の屈折力を有する第２のレンズと負の屈折力を有する第３のレンズとによって構成した
ことを特徴とする請求項６に記載のズームレンズ。
【請求項９】
前記３枚接合レンズの少なくとも１面が非球面に形成された
ことを特徴とする請求項６に記載のズームレンズ。
【請求項１０】
前記第５レンズ群が負の屈折力を有する３枚接合レンズと正の屈折力を有するレンズ群とを有するように構成し、
以下の条件式（５）及び条件式（６）を満足するように構成された
ことを特徴とする請求項１に記載のズームレンズ。
（５）ｆｍ＜０
（６）νｍ＜３０
但し、
ｆｍ：３枚接合レンズにおける中間レンズの焦点距離
νｍ：３枚接合レンズにおける中間レンズのアッベ数
とする。
【請求項１１】
ズームレンズと該ズームレンズによって形成された光学像を電気的信号に変換する撮像素子とを備えた撮像装置であって、
前記ズームレンズは、
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成され、
前記第５レンズ群は、負の屈折力を有し固定された固定群と、正の屈折力を有し光軸に略直交する方向へ移動可能とされた可動群とが物体側より像側へ順に位置されて成り、
前記第５レンズ群の可動群が光軸に略直交する方向へ移動されることにより、像面上に形成される像が光軸に略直交する方向へ移動可能とされ、
以下の条件式（１）及び条件式（２）を満足するように構成された
ことを特徴とする撮像装置。
（１）０．６＜｜ｆ５１／ｆ５２｜＜１．０
（２）０．２＜ｆｗ／ｆ５２＜０．５
但し、
ｆ５１：第５レンズ群の固定群の焦点距離
ｆ５２：第５レンズ群の可動群の焦点距離
ｆｗ：広角端におけるレンズ全系の焦点距離
とする。
【請求項１２】
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成されたズームレンズであって、
前記第５レンズ群は、負の屈折力を有し固定された固定群と、正の屈折力を有し光軸に略直交する方向へ移動可能とされた可動群とが物体側より像側へ順に位置されて成り、
前記第５レンズ群の固定群を、正の屈折力を有する第１のレンズと、負の屈折力を有する第２のレンズと、負の屈折力を有する第３のレンズとが物体側から像側へ順に接合された接合レンズによって構成し、
前記第５レンズ群の可動群を、正の屈折力を有する第４のレンズと、負の屈折力を有する第５のレンズとが物体側から像側へ順に接合された接合レンズによって構成し、
前記第５レンズ群の可動群が光軸に略直交する方向へ移動されることにより、像面上に形成される像が光軸に略直交する方向へ移動可能とされ、
以下の条件式（１）及び条件式（２）を満足するように構成された
ことを特徴とするズームレンズ。
（１）０．６＜｜ｆ５１／ｆ５２｜＜１．０
（２）０．２＜ｆｗ／ｆ５２＜０．５
但し、
ｆ５１：第５レンズ群の固定群の焦点距離
ｆ５２：第５レンズ群の可動群の焦点距離
ｆｗ：広角端におけるレンズ全系の焦点距離
とする。
【請求項１３】
前記第５レンズ群の可動群が以下の条件式（３）を満足するように構成された
ことを特徴とする請求項１２に記載のズームレンズ。
（３）２．０＜ｆｔ／ｆ５２＜５．０
但し、
ｆｔ：望遠端におけるレンズ全系の焦点距離
とする。
【請求項１４】
前記第５レンズ群が以下の条件式（４）を満足するように構成された
ことを特徴とする請求項１２に記載のズームレンズ。
（４）ｆｉ＜ｆ５
但し、
ｆｉ：第ｉレンズ群の焦点距離（ｉ＝１〜４）
ｆ５：第５レンズ群の焦点距離
とする。
【請求項１５】
ズームレンズと該ズームレンズによって形成された光学像を電気的信号に変換する撮像素子とを備えた撮像装置であって、
前記ズームレンズは、
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成され、
前記第５レンズ群は、負の屈折力を有し固定された固定群と、正の屈折力を有し光軸に略直交する方向へ移動可能とされた可動群とが物体側より像側へ順に位置されて成り、
前記第５レンズ群の固定群を、正の屈折力を有する第１のレンズと、負の屈折力を有する第２のレンズと、負の屈折力を有する第３のレンズとが物体側から像側へ順に接合された接合レンズによって構成し、
前記第５レンズ群の可動群を、正の屈折力を有する第４のレンズと、負の屈折力を有する第５のレンズとが物体側から像側へ順に接合された接合レンズによって構成し、
前記第５レンズ群の可動群が光軸に略直交する方向へ移動されることにより、像面上に形成される像が光軸に略直交する方向へ移動可能とされ、
以下の条件式（１）及び条件式（２）を満足するように構成された
ことを特徴とする撮像装置。
（１）０．６＜｜ｆ５１／ｆ５２｜＜１．０
（２）０．２＜ｆｗ／ｆ５２＜０．５
但し、
ｆ５１：第５レンズ群の固定群の焦点距離
ｆ５２：第５レンズ群の可動群の焦点距離
ｆｗ：広角端におけるレンズ全系の焦点距離
とする。
【請求項１６】
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成されたズームレンズであって、
前記第２レンズ群より像側かつ前記第５レンズ群より物体側の位置に開口絞りを配置し、
前記開口絞りより像側に配置されたレンズ群のうち少なくとも一つのレンズ群が３枚のレンズを接合して構成した３枚接合レンズを有し、
以下の条件式（５）及び条件式（６）を満足するように構成された
ことを特徴とするズームレンズ。
（５）ｆｍ＜０
（６）νｍ＜３０
但し、
ｆｍ：３枚接合レンズにおける中間レンズの焦点距離
νｍ：３枚接合レンズにおける中間レンズのアッベ数
とする。
【請求項１７】
ズームレンズと該ズームレンズによって形成された光学像を電気的信号に変換する撮像素子とを備えた撮像装置であって、
前記ズームレンズは、
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成され、
前記第２レンズ群より像側かつ前記第５レンズ群より物体側の位置に開口絞りを配置し、
前記開口絞りより像側に配置されたレンズ群のうち少なくとも一つのレンズ群が３枚のレンズを接合して構成した３枚接合レンズを有し、
以下の条件式（５）及び条件式（６）を満足するように構成された
ことを特徴とする撮像装置。
（５）ｆｍ＜０
（６）νｍ＜３０
但し、
ｆｍ：３枚接合レンズにおける中間レンズの焦点距離
νｍ：３枚接合レンズにおける中間レンズのアッベ数
とする。
【請求項１８】
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成されたズームレンズであって、
前記第５レンズ群が負の屈折力を有する３枚接合レンズと正の屈折力を有するレンズ群とを有するように構成し、
以下の条件式（５）及び条件式（６）を満足するように構成された
ことを特徴とするズームレンズ。
（５）ｆｍ＜０
（６）νｍ＜３０
但し、
ｆｍ：３枚接合レンズにおける中間レンズの焦点距離
νｍ：３枚接合レンズにおける中間レンズのアッベ数
とする。
【請求項１９】
前記３枚接合レンズを物体側から像側へ順に配置された正の屈折力を有する第１のレンズと負の屈折力を有する第２のレンズと負の屈折力を有する第３のレンズとによって構成した
ことを特徴とする請求項１８に記載のズームレンズ。
【請求項２０】
ズームレンズと該ズームレンズによって形成された光学像を電気的信号に変換する撮像素子とを備えた撮像装置であって、
前記ズームレンズは、
正の屈折力を有し固定された第１レンズ群と、負の屈折力を有し少なくとも変倍を行うために光軸方向へ移動可能とされた第２レンズ群と、正の屈折力を有し固定された第３レンズ群と、正の屈折力を有し変倍による焦点位置の補正及び合焦を行うために光軸方向へ移動可能とされた第４レンズ群と、正の屈折力を有する第５レンズ群とが物体側より像側へ順に配置されて構成され、
前記第５レンズ群が負の屈折力を有する３枚接合レンズと正の屈折力を有するレンズ群とを有するように構成し、
以下の条件式（５）及び条件式（６）を満足するように構成された
ことを特徴とする撮像装置。
（５）ｆｍ＜０
（６）νｍ＜３０
但し、
ｆｍ：３枚接合レンズにおける中間レンズの焦点距離
νｍ：３枚接合レンズにおける中間レンズのアッベ数
とする。